(57)【要約】【課題】弁体の開弁ストローク移動初期における受圧径の変化に伴う弁体の挙動の発生を抑制して発振現象の減少化を図れる電磁弁を提供する。【解決手段】電磁コイルに発生する磁力によって摺動するプランジャの先端部に設けられた球面状の弁体３８と、前記プランジャと同軸上に配置されて内部軸方向に通路孔４０が貫通形成されたバルブシート３９と、前記通路孔の先端開口部４０ａに形成されて、前記弁体が離着座する球面状の弁座４１とを備え、前記プランジャの摺動に伴って前記弁体が弁座から離着座して前記通路孔の開先端開口を開閉する電磁弁構造である。前記弁座の曲率半径を、前記弁体の曲率半径よりも大きく設定して、弁体の開弁ストローク時における受圧径Ｄの減少変化率を減少させることにより、流体圧による弁体の発振現象を小さく抑制する。【選択図】図４
2007146914.tif 000002
【特許請求の範囲】
【請求項１】
電磁コイルに通電した際に発生する磁力によって摺動するプランジャと、
該プランジャの先端部に設けられた弁体と、
前記プランジャと同軸上に配置されて内部軸方向に通路孔が貫通形成されたバルブシートと、
前記通路孔の先端開口部に形成されて、前記弁体が離着座する弁座と、を備え、
前記プランジャの摺動に伴って前記弁体が弁座から離着座して前記通路孔の開先端開口を開閉する電磁弁構造であって、
前記弁座の形状を、前記弁体の開弁ストローク移動に伴って前記通路孔の先端開口面積との相対関係で決定される前記弁体の受圧径の減少変化率が小さくなるように形成したことを特徴とする電磁弁構造。
【請求項２】
電磁コイルに通電した際に発生する磁力によって摺動するプランジャと、
該プランジャの先端部に設けられた球面状の弁体と、
前記プランジャと同軸上に配置されて内部軸方向に通路孔が貫通形成されたバルブシートと、
前記通路孔の先端開口部に形成されて、前記弁体が離着座する球面状の弁座と、を備え、
前記プランジャの摺動に伴って前記弁体が弁座から離着座して前記通路孔の開先端開口を開閉する電磁弁構造であって、
前記弁座の曲率半径を、前記弁体の曲率半径よりも大きく設定したことを特徴とする電磁弁構造。
【請求項３】
前記弁座の外周側にほぼテーパ状の開口縁部を形成したことを特徴とする請求項１または２に記載の電磁弁構造。
【請求項４】
前記電磁弁は、消磁されているときに閉弁状態となる常閉型であることを特徴とする請求項１〜３のいずれかに記載の電磁弁構造。
【請求項５】
前記電磁弁内を通流する作動流体は、開弁方向へ流動することを特徴とする請求項１〜４のいずれかに記載の電磁弁構造。
【請求項６】
軸方向に往復運動するプランジャと、
該プランジャの先端部に設けられたほぼ球状の弁体と、
該弁体に対向して通路孔が設けられ、該通路孔の開口部に前記弁体より半径の大きなほぼ球状の弁座が形成され、
該弁座の外周にほぼテーパ状の開口縁部が形成された電磁弁の製造方法であって、
前記開口縁部を切削加工によってほぼテーパ状に形成する第１の工程と、
該第１の工程後に、前記開口縁部のテーパ面によって位置決めし、前記弁座を治具によって球面状に圧痕形成して該曲率半径を前記弁体の曲率半径よりも大きく設定する第２の工程と、
を有することを特徴とする電磁弁の製造方法。
【発明の詳細な説明】
【技術分野】
【０００１】
本発明は、例えば車両のブレーキ液圧を制御するためのアンチロックブレーキ装置（ＡＢＳ）などに用いられる電磁弁構造及びこの電磁弁の製造方法に関する。
【背景技術】
【０００２】
この種の従来の電磁弁構造としては、アンチロックブレーキ装置に適用された以下の特許文献に記載されたものが知られている。
【０００３】
概略を説明すれば、この電磁弁は、いわゆる常閉型の減圧用電磁弁であって、ハウジングに形成された弁保持穴と、一部が前記ハウジング内に形成されて、一端が各ホイールシリンダに接続され、他端がリザーバに接続されたブレーキ液を通流させるブレーキ液圧通路と、前記弁保持穴内に収容保持され、周壁の径方向に前記ブレーキ液圧通路に連通する通路孔を有するほぼ円筒状のバルブボディと、該バルブボディの内部に形成されて、前記通路孔の一端開口縁に形成された球面状の弁座に離着座して前記通路孔の一端開口を開閉する球面状の弁体と、バルブボディの上端部に固定されたシリンダの内部に摺動自在に設けられて、前記弁体を開閉作動させるプランジャと、を備えている。
【０００４】
前記シリンダの一端側には、固定コアが固定され、この固定コアの外周に電磁コイルが配置されており、この電磁コイルに通電されずに固定コアが消磁されている場合は、バルブスプリングによって弁体が前記開口縁を閉成する一方、通電されるとプランジャが固定コアに吸引されて弁体によって開口端を開成して各ホイールシリンダのブレーキ液をリザーバに還流させてブレーキ液圧を制御するようになっている。
【特許文献１】特開平１１−２２２１１９号公報（第３図）
【発明の開示】
【発明が解決しようとする課題】
【０００５】
しかしながら、前記従来の電磁弁は、図６Ａに示すように、球面状の弁座２の曲率半径Ｒ’が、前記球面状の弁体１の受圧面１ａの曲率半径Ｒよりも小さく形成されている。このため、弁体１が弁座２の上端内周縁２ａに着座した状態から開弁方向へストロークした際に、その開弁初期に弁体１の受圧径Ｄ、つまり弁体１の中心Ｐから弁座２の上端内周縁２ａ及び該弁座２の外周側に有する開口縁部４の上面までの最短距離を結ぶ直線で形成される円錐角度θ間に受圧径Ｄが存在し、この受圧径Ｄが弁体１の弁座２の上端内周縁２ａに着座位置における受圧径Ｄの幅０よりも急激に減少した１及び２の範囲になり、この減少方向の変化率が大きいことから、前記通路孔３から開口端３ａ方向へ流れる流体圧に大きな変動が発生する。
【０００６】
すなわち、前記弁体１の前記通路孔３を通流する液圧による受圧径Ｄは、通路孔３の先端開口３ａの開口面積によって決定され、弁体１が弁座２の上端内周縁２ａに着座した閉弁時の受圧径Ｄは、通路孔３の先端開口３ａの開口面積と同一の０であるが、プランジャを介して弁体１が図６Ａの矢印で示すように、開弁方向へストロークして弁座２から離間した初期の段階では、前記受圧径Ｄが一時的に１及び２に段階的に大きく減少する方向へ変化する。これに伴って、弁体１が一時的に閉弁方向への移動を繰り返す。
【０００７】
そして、この従来技術では、受圧径Ｄの減少変化率（変化幅）が大きいことから、通路孔３を通流する流体圧が瞬間的に低下して、前記弁体１（プランジャ）の閉弁方向への繰り返し移動量が大きくなる。
【０００８】
これにより、図６Ｂ及び図７に示すように、流体圧の変動が急激に発生して振幅の大きな発振現象が起こり、異音が発生するばかりか、正確な流体圧を得ることが困難になる。特に、弁体１の中間位置で開度を保持制御するような比例制御式の電磁弁においては、弁体１を中間位置で安定して保持することができなくなるおそれがある。
【０００９】
本発明は、前記従来の技術的課題に鑑みて案出されたもので、前記弁体の開弁方向へのストローク移動時における受圧径の急激な減少変化を抑制して、発振現象を十分に防止し得る電磁弁構造を提供することを目的としている。
【課題を解決するための手段】
【００１０】
請求項１に記載の発明にあっては、電磁コイルに通電した際に発生する磁力によって摺動するプランジャと、該プランジャの先端部に設けられた弁体と、前記プランジャと同軸上に配置されて内部軸方向に通路孔が貫通形成されたバルブシートと、前記通路孔の先端開口部に形成されて、前記弁体が離着座する弁座と、を備え、前記プランジャの摺動に伴って前記弁体が弁座から離着座して前記通路孔の開先端開口を開閉する電磁弁構造であって、前記弁座の形状を、前記弁体の開弁ストローク移動に伴って前記通路孔の先端開口面積との相対関係で決定される前記弁体の受圧径の増減変化率が減少するように形成したことを特徴としている。
【００１１】
この発明によれば、前記弁座の形状を、前記弁体の開弁ストローク移動に伴って前記通路孔の先端開口面積との相対関係で決定される前記弁体の受圧径の減少変化率が小さくなるように形成したことから、弁体の開弁初期における受圧径の一時的な減少変化率が十分に小さくなり、該受圧径が連続的に変化するようになる。このため、通路孔の先端開口での流体圧の変動（発振）を十分に抑制することが可能になる。
【００１２】
この結果、かかる電磁弁を、例えば車両ブレーキ液圧制御装置に適用した場合には、弁体を中間位置に保持制御する比例制御や過渡時の作動応答性を向上させることが可能になる。また、前記比較的大きな発振による異音の発生をも防止できる。
【００１３】
請求項２に記載の発明は、電磁コイルに通電した際に発生する磁力によって摺動するプランジャと、該プランジャの先端部に設けられた球面状の弁体と、前記プランジャと同軸上に配置されて内部軸方向に通路孔が貫通形成されたバルブシートと、前記通路孔の先端開口部に形成されて、前記弁体が離着座する球面状の弁座と、を備え、前記プランジャの摺動に伴って前記弁体が弁座から離着座して前記通路孔の開先端開口を開閉する電磁弁構造であって、前記弁座の曲率半径を、前記弁体の曲率半径よりも大きく設定したことを特徴としている。
【００１４】
この発明は、弁座の曲率半径を設定するだけであるから、簡単な構造で前記請求項１に記載の発明と同様な作用効果が得られると共に、コストの高騰を抑制できる。
【００１５】
請求項３に記載の発明は、前記弁座の外周側にほぼテーパ状の開口縁部を形成したことを特徴としている。
【００１６】
この発明によれば、請求項１または２に記載の発明の作用効果に加えて、前記弁体の受圧径の変化をさらに連続的にすることができるので、前述の発振現象を効果的に防止することが可能になる。
【００１７】
請求項４に記載の発明にあっては、前記電磁弁は、消磁されているときに閉弁状態となる常閉型であることを特徴としている。
【００１８】
前述のように、中間の開弁位置にストローク量を保持するような液圧制御を行う場合において、弁体を閉弁状態に押し戻す流体圧力が前記弁座の形状によって軽減することができるため、目標液圧量に対する制御が行い易くなる。
【００１９】
請求項５に記載の発明は、前記電磁弁内を通流する作動流体は、開弁方向へ流動することを特徴としている。
【００２０】
この発明によれば、中間の開弁位置にストローク量を保持するような液圧制御を行う場合において、弁体を閉弁状態に押し戻す流体圧力は、弁体を開弁方向へ押し上げる方向に流れをもつ場合に最も顕著になるため、このような態様の電磁弁に前記弁体と弁座の形状を用いることにより、中間の開弁位置の液圧制御特性を向上させることができる。
【００２１】
請求項６に記載の発明は、電磁弁の製造方法に関し、軸方向に往復運動するプランジャと、該プランジャの先端部に設けられたほぼ球状の弁体と、該弁体に対向して通路孔が設けられ、該通路孔の開口部に前記弁体より半径の大きなほぼ球状の弁座が形成され、該弁座の外周にほぼテーパ状の開口縁部が形成された電磁弁の製造方法であって、前記開口縁部を切削加工によってほぼテーパ状に形成する第１の工程と、該第１の工程後に、前記開口縁部のテーパ面によって位置決めし、前記弁座を治具によって球面状に圧痕形成して該曲率半径を前記弁体の曲率半径よりも大きく設定する第２の工程と、を有することを特徴としている。
【００２２】
例えば、ブレーキ液圧制御装置などに用いられる電磁弁は、弁座の寸法公差がきわめて小さく、例えば弁座の直径が１〜２ｍｍ程度であって、この弁座の加工は高い表面荒さ精度と位置決め精度とが要求されている。
【００２３】
この発明によれば、テーパ状の開口縁部を予め切削加工によって形成し、このテーパ形状によって位置決めされる治具によって圧痕して弁座を球面形状に形成することから、表面及び位置決め精度が高くかつ作業効率よい弁座の加工が可能になる。
【発明を実施するための最良の形態】
【００２４】
以下、本発明にかかる電磁弁構造及び電磁弁の製造方法の実施形態を図面に基づいて詳述する。この実施形態では、ＡＢＳなどに適用されるブレーキバイワイヤー装置の減圧用電磁弁に適用したものを示している。
【００２５】
まず、この実施形態における減圧用電磁弁が適用されるブレーキ液圧制御装置を図２に基づいて簡単に説明する。
【００２６】
図中１１はブレーキペダル１２の踏み込み操作量に応じて液圧を発生させるマスターシリンダ、１３は該マスターシリンダ１１に一体的に取り付けられたリザーバタンク、１４は油圧ユニットであって、前記ブレーキペダル１２の操作に応じて油圧ユニット１４により左右前輪のホイールシリンダ１５、１６に対する油圧制御が行われるようになっている。
【００２７】
前記油圧ユニット１４は、前記マスターシリンダ１１から分岐して前記各ホイールシリンダ１５，１６に連通する両油圧通路１７ａ，１７ｂと、該各油圧通路１７ａ、１７ｂの上流側にそれぞれ設けられて、通常制御ブレーキ時に両油圧通路１７ａ，１７ｂを遮断して回路を閉鎖する遮断弁１８ａ，１８ｂと、前記リザーバタンク１３とフレキシブルチューブ１９を介して連通し、チェック弁２０ａ２０ｂを介してブレーキ液圧を各ホイールシリンダ１５，１６に供給するオイルポンプ２１と、前記各チェック２０ａ、２０ｂの下流側に設けられて、特定の車輪のホイールシリンダ１５，１６にのみ増圧（開弁）、減圧（閉弁）させる際に用いられる保持弁２２ａ、２２ｂと、該各保持弁２２ａ、２２ｂの下流側に設けられた前記常閉型の減圧用電磁弁２３，２４と、を備えている。
【００２８】
また、オイルポンプ２１の吐出圧を制御するリリーフバルブ２５が設けられていると共に、各圧力発生箇所に圧力センサ２６ａ〜２６ｅがそれぞれ設けられている。なお、前記オイルポンプ２１は、図外の電子コントローラからの制御信号によって回転駆動する電動モータ２１ａによって駆動されるようになっている。前記減圧用電磁弁２３，２４には、一端が各ホイールシリンダ１５，１６に接続され、他端が低圧側の前記リザーバタンク１３に接続された流通路２７、２７が連通している。
【００２９】
そして、通常のブレーキモード時には、電子コントローラからの制御信号によって前記各遮断弁１８ａ、１８ｂを閉作動させて油圧回路を閉状態とし、ブレーキペダル１２の操作量の検出信号に応じて前記各保持弁２２ａ、２２ｂを開閉制御してオイルポンプ２１から各ホイールシリンダ1５，１６へのブレーキ液圧を制御すると共に、急激なブレーキペダル１２の操作時には、流通路２７，２７を介して各減圧用電磁弁２３，２４をも制御して増減圧制御によるＡＢＳ制御を行うようになっている。
【００３０】
なお、本実施形態の油圧ユニットは、前輪左右のホイールシリンダ１５，１６に対する液圧制御を行う構成となっているが、後輪左右の各ホイールシリンダに対する液圧制御においても同様の構成を採ることも可能である。
【００３１】
また、フェールセーフモードに移行した場合は、前記遮断弁１８ａ、１８ｂを開作動させて油圧回路を開放し、ブレーキペダル１２から出力された踏力に応じてマスターシリンダ１１からブレーキ液圧を直接的に各ホイールシリンダ１５，１６に供給してブレーキ力を付与するようになっている。
【００３２】
次に、前記減圧用電磁弁２３，２４の具体的な構成を図１に基づいて説明する。便宜上、一方の電磁弁２３について説明すると、この電磁弁２３は、アルミ合金製のハウジング３０の内部に形成された弁保持孔３１と、該弁保持孔３１内に収容保持された円筒状のバルブボディ３２と、該バルブボディ３２上端部に固定されて、上端部が弁保持孔３１から露出した円筒状の金属製シリンダ３３と、該シリンダ３３の外周側に配置されて、図外の電子コントローラから出力された制御電流によって励磁する円筒状の電磁コイル３４と、シリンダ３３の上端部に固定された円柱状の固定コア３５と、シリンダ３３の内部に摺動自在に収容された可動コア３６と、該可動コア３６の先端部に配置されたプランジャ３７と、該プランジャ３７の先端部に一体に形成された弁体３８と、前記バルブボディ３２の内部に軸方向から収容固定された金属円筒状のバルブシート３９と、該バルブシート３９の内部軸方向に貫通形成されて、前記流通路２７の上下流に連通する通路孔４０と、前記バルブシート３９の先端部に有する突起部３９ａ上面に形成され、前記弁体３８が離着座して通路孔４０の先端開口４０ａを開閉するほぼ球面状の弁座４１と、を備えている。
【００３３】
前記プランジャ３７は、前記固定コア３５の内部に形成された保持穴３５ａの底面と可動コア３６の上面との間に弾装されたバルブスプリング４２のばね力によって弁体３８が弁座４１に着座して先端開口４０ａを閉止する方向に付勢されている。また、該プランジャ３７の先端側段差面とバルブシート３９の前記突起部３９ａ外周側段差面との間に弾装されたリターンスプリング４６によって開弁方向へ付勢されており、このリターンスプリング４６のばね力はバルブスプリング４２のばね力よりも十分に小さく設定されて、単にプランジャ３７を可動コア３６側へ押しつける程度のばね力に設定されている。
【００３４】
前記バルブシート３９の下端部には、流通路２７から通路孔４０内に流入するブレーキ液を濾過するフィルター部材４３が設けられていると共に、外周にシールリング４４が設けられている。また、前記電磁コイル３４の外周側には、ヨークとして機能するバルブケーシング４５が取り付けられている。
【００３５】
前記弁体３８は、図１及び図４に示すように、金属材で球面状に形成されて、その曲率半径Ｒが所定長さに設定されている。一方、前記弁座４１は、図４の黒点間に示すように、円環状に形成されてその表面が球面状に形成されていると共に、その曲率半径Ｒ’が弁体３８の曲率半径Ｒよりも大きく形成されている。
【００３６】
また、前記バルブシート３９の突出部３９ａ上面には、弁座４１の外周縁（外側黒点）から外方に亘ってテーパ状に立ち上がった円環状の開口縁部４６が連続して形成されている。
【００３７】
なお、前記他方の減圧用電磁弁２４も、一方の減圧用電磁弁２３と同様の構成になっている。
【００３８】
前記弁座４１を成形する方法を図３Ａ〜Ｃに基づいて簡単に説明すると、まずバルブシート３９となる円柱状の金属素材５０の内部軸方向に沿って通路孔４０をドリルによって形成する。続いて、該通路孔４０の上端部（突起部３９ａ）の先端開口４０ａの孔縁に弁座４１や開口縁部４６となる円錐状の切欠部５１を切削加工によって形成する（図３Ａ、Ｂ参照）。
【００３９】
次に、前記切欠部５１の表面には、ツールマークによる凹凸部５１ａが形成されてしまうことから、球面状の治具によってツールマークを圧痕して表面を滑らかにして球面状の弁座４１を成形する（図３Ｃ参照）。このとき、弁座４１は、曲率半径Ｒ’が前記弁体３８の先端球面（受圧面３８ａ）の曲率半径Ｒよりも大きく成形されている。
【００４０】
以下、この実施形態の作用について説明すれば、アンチロックブレーキ制御中に、電子コントローラからの制御電流が減圧用電磁弁２３、２４に出力されて、各プランジャ３７を介して弁体２３が、図４に示すように、弁座４１の上端内周縁４１ａに当接した閉弁位置（内側黒丸））から開作動を開始すると、各ホイールシリンダ１５，１６からフィルター部材４３を介して通路孔４０内に流入したブレーキ液圧は、前記弁体３８の先端側の受圧面３８ａに作用する。
【００４１】
そして、この弁体３８の受圧面３８ａの受圧径Ｄは、該弁体３８の開弁ストローク移動と前記通路孔４０の先端開口４０ａの開口面積との相対関係で決定されるが、本実施形態では、弁座４１の曲率半径Ｒ’を弁体３８の曲率半径Ｒよりも大きく形成したことから、図４Ａに示すように、前記弁体３８が、閉弁時の受圧径Ｄである０から僅かに開方向（上方向）へストロークしてＱ位置になり、受圧径Ｄが１になると、ここでの受圧径Ｄの１は０よりも僅かに小さくなり、さらに開方向へストローク移動してＱ１位置になると受圧径Ｄが３となり、これが０よりも大きくなる。
【００４２】
すなわち、弁体３８が弁座４１に着座している際の弁体３８の曲率半径Ｒと、ここから弁体３８が所定量僅かに上方向へストロークして、該弁体３８の球径中心から半径Ｒ方向に伸びた線の先端が弁座４１の曲率半径Ｒ’面上に存在しているまでの前記弁体３８の半径Ｒ、Ｒの各中心間の距離Ｘの区間と、弁体３８の球径中心と弁座４１とテーパ面４６との境界点までの最短距離Ｙとなる位置に弁体３８が位置するまでの区間で、受圧径Ｄの減少が発生する。
【００４３】
したがって、この範囲では弁体３８に対する先端開口４０ａからの流体圧が僅かに減少して、弁体３８は、図４Ｂ及び図５に示すように、一時的に閉弁方向へ下降して発振現象が起こるが、かかる受圧径Ｄの減少変化率がきわめて小さいことから、発振の波形振幅が十分に小さくなる。
【００４４】
その後、弁体３８がさらに開弁ストローク移動すると、受圧径Ｄが２〜３まで拡大することから、この範囲では発振現象が全くなくなり、さらに開弁方向へストローク移動すると、受圧径Ｄが３〜４までに再び減少して、この間で発振現象が起こるが、この場合も受圧径Ｄの減少変化率がきわめて小さいことから、発振の波形振幅が十分に小さくなっている。つまり、この受圧径Ｄが３〜４になると、弁体３８の半径延長線の交点が前記テーパ状の開口縁部４６になることから、その受圧径Ｄが０の場合とほぼ同じ大きさになって、その減少変化率が十分小さいことから、発振の波形振幅が十分に小さくなるのである。
【００４５】
さらに開弁方向へストローク移動すると受圧径Ｄは、４〜５間では変化することなく一定になることから、発振現象が起こらない。
【００４６】
前述した弁体３８の開弁ストローク移動に伴う受圧径Ｄの０〜５まで変化を数式に表すと以下のようになる。
【００４７】
ここで、θ：受圧角、Ｒ：弁体の半径、Ｒ’：弁座（圧痕球）の半径、ｒ：通路孔の先端開口径、ｒ’：テーパ開口縁部の内側半径、α：開口縁部のテーパ角、Ｘ：プランジャ（弁体）ストローク量、Ｘ’：弁体の着座〜弁体の中心一致までのストローク量
【００４８】
【数１】
2007146914.tif 000003
【００４９】
【数２】
2007146914.tif 000004
【００５０】
【数３】
2007146914.tif 000005
【００５１】
【数４】
2007146914.tif 000006
【００５２】
以上のように、本実施形態では、弁体３８の開弁初期における受圧径Ｄの減少変化率を従来技術に比較して十分に小さくすることができることから、通路孔４０の先端開口４０ａでの流体圧の変動、つまり弁体３８の発振の波形振幅を十分に抑制することが可能になる。
【００５３】
この結果、かかる実施形態のような、ブレーキバイワイヤ装置などに適用した場合には、弁体３８を中間位置に保持制御する比例制御や過渡時の作動応答性を向上させることが可能になる。また、前記比較的大きな発振による異音の発生をも防止できる。
【００５４】
本発明は、前記各実施形態の構成に限定されることなく、電磁弁の適用対象として、アンチロックブレーキ装置以外の機器類やアクチュエータなどに適用することも可能である。
【図面の簡単な説明】
【００５５】
【図１】本発明にかかる電磁弁の実施形態を示す縦断面図である。
【図２】電磁弁が適用されるブレーキ液圧制御装置の回路図である。
【図３】Ａ〜Ｃは同実施形態に供されるバルブシートの弁座を形成する成形工程を示す概略図である。
【図４】Ａは本実施形態の弁座から弁体が開弁ストローク移動状態に伴う受圧径の変化を示す概略図、Ｂは前記受圧径の変化に伴う発振現象を示す対応グラフである。
【図５】本実施形態における弁体の開弁ストローク移動に伴う時間と液圧との関係から発振現象を示すグラフである。
【図６】従来技術における受圧径と発振現象との関係を示し、Ａは弁座から弁体が開弁ストローク移動状態に伴う受圧径の変化を示す概略図、Ｂは前記受圧径の変化に伴う発振現象を示す対応グラフである。
【図７】従来技術における弁体の開弁ストローク移動に伴う時間と液圧との関係から発振現象を示すグラフである。
【符号の説明】
【００５６】
２３…減圧用電磁弁
３４…電磁コイル
３７…プランジャ
３８…弁体
３８ａ…受圧面
３９…バルブシート
４０…通路孔
４０ａ…先端開口
４１…弁座
Ｄ…受圧径
Ｒ…弁体の曲率半径
Ｒ’…弁座の曲率半径
【図１】
2007146914.tif 000007
【図２】
2007146914.tif 000008
【図３】
2007146914.tif 000009
【図４】
2007146914.tif 000010
【図５】
2007146914.tif 000011
【図６】
2007146914.tif 000012
【図７】
2007146914.tif 000013